(57)【特許請求の範囲】
【請求項１】
基地局と一以上の移動端末との間で無線通信を行う無線通信システムにおいて、
同時に通信可能な搬送波周波数が異なる接続方式を用いる複数の高速データ通信サービスに対して、同一の搬送波周波数を用いてパイロット信号を送出するパイロット信号送出部と、
各移動端末から通知された、前記パイロット信号に対する伝搬環境情報の比較にもとづいて、送信相手とする移動端末及び異なる複数の通信サービスの中から該移動端末へ提供する通信サービスを選択することで、該異なる複数の通信サービスのスケジューリング処理を１つにまとめて行うスケジューラと、
前記スケジューラで選択された移動端末へ、該移動端末について選択された通信サービスに関する制御情報を送信する制御情報送信部と、
を備え、前記異なる複数の通信サービスを運用可能な基地局と、
前記基地局によって、自端末及び通信サービスが選択された場合には、前記基地局から送信された前記制御情報にもとづいて、選択された通信サービスに対応する送受信機能の設定を行う送受信機能設定部、
を備え、前記異なる複数の通信サービスを運用可能な移動端末と、
を有することを特徴とする無線通信システム。
【請求項２】
一以上の移動端末との間で無線通信を行う基地局において、
同時に通信可能な搬送波周波数が異なる接続方式を用いる複数の高速データ通信サービスに対して、同一の搬送波周波数を用いてパイロット信号を送出するパイロット信号送出部と、
各移動端末から通知された、前記パイロット信号に対する伝搬環境情報の比較にもとづいて、送信相手とする移動端末及び異なる複数の通信サービスの中から該移動端末へ提供する通信サービスを選択することで、該異なる複数の通信サービスのスケジューリング処理を１つにまとめて行うスケジューラと、
前記スケジューラで選択された移動端末へ、該移動端末について選択された通信サービスに関する制御情報を送信する制御情報送信部と、
を備えたことを特徴とする基地局。
【請求項３】
基地局と無線通信を行う移動端末において、
同時に通信可能な搬送波周波数が異なる接続方式を用いる複数の高速データ通信サービスに対して、同一の搬送波周波数を用いて基地局から送信されたパイロット信号を受信して伝搬環境を測定する伝搬環境測定部と、
測定した伝搬環境情報を基地局へ通知する送信部と、
基地局において、前記伝搬環境情報の比較にもとづいて、異なる複数の通信サービスのスケジューリング処理が１つにまとめて行われることで、送信相手とする移動端末及び異なる複数の通信サービスの中から、自端末と、該自端末に提供される通信サービスとが選択された際に、送信された該通信サービスに関する制御情報を受信する受信部と、
前記制御情報にもとづいて、該通信サービスに対応する送受信機能の設定を行う送受信機能設定部と、
を備えたことを特徴とする移動端末。
【発明の詳細な説明】
【技術分野】
【０００１】
本発明は、無線通信システム、基地局および移動端末に関する。
【背景技術】
【０００２】
Ｗ−ＣＤＭＡ（Wideband-Code Division Multiple Access）方式は、ＩＭＴ−２０００（International Mobile Telecommunications-2000）で定められた無線通信インタフェースの１つであり、最も主流の無線通信方式に位置づけられている。Ｗ−ＣＤＭＡは、最大３８４Kbpsの伝送速度により、音声、動画像、データ等のマルチメディアアクセスを可能にしている。
【０００３】
また、近年になってＷ−ＣＤＭＡの技術をベースにしたＨＳＤＰＡ（High Speed Downlink Packet Access）と呼ばれる無線通信方式の研究・開発が進められている。ＨＳＤＰＡは、第３．５世代移動通信システムの無線アクセス方式として、現行のＷ−ＣＤＭＡの下り方向に対して、伝送速度が３〜４倍の最大１４．４Mbps（平均２〜３Mbps）の高速なダウンリンクパケット伝送を行うもので、３ＧＰＰリリース５（3rd Generation Partnership Project Release 5）で標準化が行われている。
【０００４】
図１８はＨＳＤＰＡの概要を示す図である。基地局１００のセル１００ａ内に携帯電話機１１１〜１１３、ノートパソコン１１４、１１５が存在している。ここで、基地局１００から各端末の下り方向に対して、パケット伝送を行う場合、携帯電話機１１１とノートパソコン１１４には、従来のＷ−ＣＤＭＡ方式で通信を行い、携帯電話機１１２、１１３とノートパソコン１１５には、ＨＳＤＰＡ方式で通信を行うものとする。
【０００５】
Ｗ−ＣＤＭＡでは、携帯電話機１１１とノートパソコン１１４がセル１００ａ内のどこに位置していても、基地局１００から送信されるパケットの伝送速度は均一の速度である（最大３８４Kbps）。
【０００６】
一方、ＨＳＤＰＡでは、各端末の現在の受信電波状況を判断して、変調方式を切り替え、最も高速な変調方式を選択することで、同じセル１００ａ内にあっても、基地局からの距離などの条件により通信可能な下り伝送速度を変化させている。
【０００７】
例えば、携帯電話機１１２とノートパソコン１１５が基地局１００の近くに位置し、障害物もなく受信条件が良ければ、携帯電話機１１２とノートパソコン１１５は、最大の１４．４Mbpsでデータを受信でき、携帯電話機１１３がセル１００ａの端にあり、基地局１００から離れて受信条件が悪ければ、携帯電話機１１３は、１４．４Mbpsより低い速度でデータを受信することになる。
【０００８】
このように、ＨＳＤＰＡでは、受信状況に応じて、下り伝送速度が最適に制御される適応変調符号化処理が行われており、具体的には、これまでＷ−ＣＤＭＡで使われていたＱＰＳＫ（Quadrature Phase Shift Keying：搬送波の位相のみを４種類に変化させて４状態とし、１シンボル２ビットで情報を伝送する変調方式）に加えて、１６ＱＡＭ（Quadrature Amplitude Modulation：搬送波の位相と振幅を変化させて、１６状態をとり、１シンボル４ビットで情報を伝送する変調方式）という変調方式を切り替えて使用する。
【０００９】
また、ＨＳＤＰＡでは、基地局１００にスケジューラを設置し、適応スケジューリング（以下、単にスケジューリング）と呼ばれる技術を採用することで、電波の状況に応じて、どのユーザに優先して情報を送るかということも選択可能としている。
【００１０】
ＨＳＤＰＡは、現行の移動通信網にあまり多くの手を加えずに、上記のような高速ダウンリンクパケット伝送を実現するものであり、バックワードコンパチビリティ（backward compatibility：現行のシステムに影響しないで新しいシステムを入れること）によって、高速モバイル通信サービスを可能にする技術として大きく期待されている。
【００１１】
従来技術として、アプリケーションの特性に応じて、無線通信に必要な周波数帯や電波空間等の無線通信資源を選択する技術が提案されている（例えば、特許文献１）。
【先行技術文献】
【特許文献】
【００１２】
【特許文献１】特開２００４−１７９６９３号公報
【発明の概要】
【発明が解決しようとする課題】
【００１３】
上記のスケジューリングの手順としては、まず、ある搬送波周波数を持つパイロット信号を基地局から送出し、セル内に存在する携帯電話機などの移動端末がパイロット信号を受信する。移動端末では、パイロット信号を受信したときの、現在の環境における伝搬環境を測定し、伝搬環境情報を基地局に通知する。そして、基地局では、伝搬環境の良好な移動端末に対して、優先的にトラフィックデータを送信するものである。従来、スケジューラで選択される内容は、移動端末の数と、選んだ移動端末の中での送信の順番などである。
【００１４】
なお、伝搬環境情報とは、具体的にはＣＱＩ（Channel Quality Indicator）のことで、これはパイロット信号に対するＣＩＲ（Carrier-to-Interference Ratio（C/I）：希望波対干渉波比）の値を１〜３０の３０個の指標に換算したものである（受信電界強度の指標である）。
【００１５】
ＣＱＩ＝１は、ＣＩＲの最低値を表し、最も受信レベルが悪く、ＣＱＩ＝３０は、ＣＩＲの最高値を表し、最も受信レベルが良いものとなる（ＣＩＲをもとにして、ＣＩＲの良いものから順に選択するスケジューリングは、Max C／I法と呼ばれ、ＨＳＤＰＡではＣＱＩを用いて、値の高いものから優先的に選択する）。
【００１６】
図１９は従来のＨＳＤＰＡのスケジューリングの様子を示す図である。基地局１００−１のセル１００ｂ内にＵＥ（User Equipment：移動端末）１２１〜１２４がある。ＵＥ１２１〜１２４は、ＨＳＤＰＡの通信を行う端末であり、基地局１００−１は、ＨＳＤＰＡに対応する搬送波周波数ｆ１を持つパイロット信号ｆ１ｐを送出する（図中、点線矢印）。
【００１７】
ＵＥ１２１〜１２４は、パイロット信号ｆ１ｐを受信すると、ＵＥ毎にＣＱＩを求めて、基地局１００−１に返信する（図中、実線矢印）。すると、基地局１００−１内のスケジューラ１０１は、送信されたＣＱＩにもとづいてスケジューリングを行う。
【００１８】
図２０はスケジューリングモデルを示す図である。ＨＳＤＰＡのパイロット信号ｆ１ｐに対するＵＥ１２１〜１２４それぞれのＣＱＩが、０８、１９、１０、１３であったとする。また伝送速度（基地局→ＵＥの下り伝送速度）は、３．０、１０．０、２．０、０．５（単位はMbps）であったとする（なお、伝送速度は、スケジューリングによって送信対象の端末が選択されると、自ずと伝送データ量や変調方式等によって決まるものである）。
【００１９】
ここで、スケジューリング条件を、ＣＱＩの高い端末を２台選択し、ＣＱＩの高い方から先にデータの送信を行うものとする。ただし、上述したように、ＨＳＤＰＡの最大伝送速度は１４．４Mbpsであるから、選択した端末の合計伝送速度が、１４．４Mbpsの値を超えないように選ぶことになる。
【００２０】
すると、ＵＥ１２１〜１２４の中では、ＵＥ１２２のＣＱＩが１９で最も高く、次にＣＱＩが１３であるＵＥ１２４が高い。また、ＵＥ１２２とＵＥ１２４の合計伝送速度は１０．５Mbpsとなるので、ＨＳＤＰＡの最大伝送速度の条件を満たすことになる。
【００２１】
したがって、セル１００ｂ内に存在するＵＥ１２１〜１２４に対して、ＵＥ１２２、ＵＥ１２４が優先的に選択され、ＵＥ１２２、ＵＥ１２４の順に、基地局１００−１から下りデータが送信されることになる。
【００２２】
しかし、このような従来のスケジューリングでは、複数の異なる搬送波周波数で運用サービスを行う場合などでは、基地局内にスケジューラを搬送波周波数毎に対応して個別に設置する必要があり、装置規模が増大するといった問題があった。
【００２３】
図２１はスケジューラが複数設けられる従来システムを示す図である。基地局１００−２は、セル１００ｃを有し、セル１００ｃ内にはＵＥ１３１〜１３３、ＵＥ１４１〜１４６が存在する。また、基地局１００−２は、２つの通信サービスを行うものとし、それぞれの通信サービスに対応して、搬送波周波数ｆ１を持つパイロット信号ｆ１ｐと、搬送波周波数ｆ２を持つパイロット信号ｆ２ｐの両方を送出する。そして、ＵＥ１３１〜１３３が搬送波周波数ｆ１による通信サービスを受け、ＵＥ１４１〜１４６が搬送波周波数ｆ２による通信サービスを受ける。
【００２４】
このような場合、従来のシステムでは、基地局１００−２内に、搬送波周波数ｆ１、ｆ２に対応するそれぞれのサービスを行うスケジューラ１０１ａ、１０１ｂが設けられることになる。
【００２５】
スケジューラ１０１ａでは、ＵＥ１３１〜１３３から送信された、パイロット信号ｆ１ｐの受信環境のＣＱＩにもとづいて、ＵＥ１３１〜１３３のスケジューリングを行う。また、スケジューラ１０１ｂでは、ＵＥ１４１〜１４６から送信された、パイロット信号ｆ２ｐの受信環境のＣＱＩにもとづいて、ＵＥ１４１〜１４６のスケジューリングを行う。
【００２６】
このように従来システムでは、複数の通信サービスを行う場合は、スケジューラを搬送波周波数毎（または通信サービス毎）に個別に設置することになるので、装置規模が増大してしまい、システム運用の利便性が低いといった問題があった。
【００２７】
一方、上記のように、複数の搬送波周波数ｆ１、ｆ２でサービスされている場合、搬送波周波数ｆ１では優先順位が低く選択されないが、搬送波周波数ｆ２を使用すれば、優先順位が上がり選択されるといったことが起こりえる。
【００２８】
図２２は優先順位の変更を説明するための図である。図において、搬送波周波数ｆ１、ｆ２のスケジューリング条件は共に、ＣＱＩの高い２台のＵＥの選択を行うものとする。このとき、搬送波周波数ｆ１ではＵＥ１３１、１３２が選択され、搬送波周波数ｆ２ではＵＥ１４１、１４２が選択され、搬送波周波数ｆ２内のＵＥ１４３は、３番目にＣＱＩが高く、搬送波周波数ｆ２のサービスでは現在選択されていないとする。
【００２９】
このような場合、ＵＥ１４３が搬送波周波数ｆ１のサービスへ移行して、搬送波周波数ｆ１の運用環境上において、ＣＱＩが例えば、ＵＥ１３１＞ＵＥ１４３＞ＵＥ１３２の順位となるならば、ＵＥ１３２に替わってＵＥ１４３は通信を行うことが可能になる（ＵＥ１４３がサービス移行する前は、搬送波周波数ｆ１はＵＥが３台、搬送波周波数ｆ２ではＵＥが６台あったので、単純に考えても、搬送波周波数ｆ２の方が搬送波周波数ｆ１よりも干渉波レベル（ＣＩＲのＩ）が大きいことがわかる。したがって、干渉波レベルが大きい搬送波周波数ｆ２ではＣＱＩが３番目にあったＵＥ１４３でも、干渉波レベルが低い搬送波周波数ｆ１へ移行すれば、ＣＱＩ値が上がる可能性がある）。
【００３０】
このような搬送波周波数ｆ２から搬送波周波数ｆ１へサービスを変更する場合には、異なる周波数間でのハンドオーバ（異周波間ハンドオーバ）を行うことになるが、従来の搬送波周波数毎の個別のスケジューリングを行うシステムで、異周波間ハンドオーバを行う際には、ＵＥ、基地局及び基地局の上位に位置する制御局をも含めた重い制御を実行しなければならないので、伝送速度の高速化の利点を小さなものとしてしまい、運用性の低下を引き起こすといった問題があった。
【００３１】
さらに、個別に行われる従来のスケジューリングでは、通信サービス毎の処理負荷の不均衡が生じるおそれがあった。例えば、スケジューラ１０１ａ、１０１ｂがそれぞれＣＱＩの高い移動端末を４台選択する条件で、スケジューラ１０１ａが扱う移動端末は２台しかなく、スケジューラ１０１ｂが扱う移動端末が１０台あるといった場合があると、スケジューラ１０１ａ側のシステムでは余力を有することになるので、通信サービス毎の処理負荷の不均衡が生じることになり、システム全体の伝送速度を高速化できないといった問題があった。
【００３２】
本発明はこのような点に鑑みてなされたものであり、複数の異なる通信サービスで無線通信が運用される場合に、複数の異なる通信サービスを１つにまとめてスケジューリングを行い、無線通信の運用性の向上を図った無線通信システム、基地局および移動端末を提供することを目的とする。
【課題を解決するための手段】
【００３３】
上記課題を解決するために、基地局と一以上の移動端末との間で無線通信を行う無線通信システムが提供される。無線通信システムは、同時に通信可能な搬送波周波数が異なる接続方式を用いる複数の高速データ通信サービスに対して、同一の搬送波周波数を用いてパイロット信号を送出するパイロット信号送出部と、各移動端末から通知された、前記パイロット信号に対する伝搬環境情報の比較にもとづいて、送信相手とする移動端末及び異なる複数の通信サービスの中から該移動端末へ提供する通信サービスを選択することで、該異なる複数の通信サービスのスケジューリング処理を１つにまとめて行うスケジューラと、前記スケジューラで選択された移動端末へ、該移動端末について選択された通信サービスに関する制御情報を送信する制御情報送信部と、を備え、前記異なる複数の通信サービスを運用可能な基地局と、前記基地局によって、自端末及び通信サービスが選択された場合には、前記基地局から送信された前記制御情報にもとづいて、選択された通信サービスに対応する送受信機能の設定を行う送受信機能設定部、を備え、前記異なる複数の通信サービスを運用可能な移動端末とを有する。
【発明の効果】
【００３４】
複数の異なる通信サービスを１つにまとめてスケジューリングが行われることで、１つの通信サービスでは選択されなかった移動端末に対しても選択される可能性が高まり、また通信サービス間の処理負荷を均衡にして高速伝送を可能とし、かつ無線通信の運用性の向上を図ることが可能になる。
【００３５】
本発明の上記および他の目的、特徴および利点は本発明の例として好ましい実施の形態を表す添付の図面と関連した以下の説明により明らかになるであろう。
【図面の簡単な説明】
【００３６】
【図１】無線通信システムの原理図である。
【図２】無線通信システムの動作を示すフローチャートである。
【図３】無線通信システムの動作例を示す図である。
【図４】スケジューリングモデルを示す図である。
【図５】基地局の構成を示す図である。
【図６】ＵＥの構成を示す図である。
【図７】基地局の構成を示す図である。
【図８】ＵＥの構成を示す図である。
【図９】無線チャネル上でのＵＥ割り当てを示す図である。
【図１０】ＵＥでのパイロット信号の受信から、基地局でデータ伝送を行うまでの流れを示す図である。
【図１１】ＴＴＩを示す図である。
【図１２】スケジューリングモデルを示す図である。
【図１３】スケジューリングモデルを示す図である。
【図１４】コードテーブルを示す図である。
【図１５】コードテーブルを示す図である。
【図１６】コードテーブルを示す図である。
【図１７】スケジューリングモデルを示す図である。
【図１８】ＨＳＤＰＡの概要を示す図である。
【図１９】従来のＨＳＤＰＡのスケジューリングの様子を示す図である。
【図２０】スケジューリングモデルを示す図である。
【図２１】スケジューラが複数設けられる従来システムを示す図である。
【図２２】優先順位の変更を説明するための図である。
【発明を実施するための形態】
【００３７】
以下、本発明の実施の形態を図面を参照して説明する。図１は無線通信システムの原理図である。第１の実施の形態の無線通信システム１は、基地局１０と、ｎ（ｎ≧１）台の移動端末２０−１〜２０−ｎから構成され、高速伝送の無線通信を行うシステムである。
【００３８】
基地局１０は、サービス数がＮ（Ｎ≧１）の異なる複数の通信サービスを同時に運用可能な無線基地局であり、パイロット信号送出部１０ａ、スケジューラ１５、制御情報送信部１０ｂから構成される。
【００３９】
パイロット信号送出部１０ａは、サービス数がＮの異なる通信サービス毎に対応する搬送波周波数を持つパイロット信号を送出する。例えば、２つの異なる通信サービスＡ、Ｂが基地局で運用される場合には、通信サービスＡに対応する搬送波周波数ｆAを持つパイロット信号と、通信サービスＢに対応する搬送波周波数ｆBを持つパイロット信号とを送出する。
【００４０】
スケジューラ１５は、基地局１０内に１台設置されて、ｎ台の端末（移動端末２０−１〜２０−ｎ）から通知されたＮ×ｎ個の伝搬環境情報を集約する。例えば、２種類の通信サービスＡ、Ｂで、３台の移動端末がそれらの通信サービスを受けることが可能ならば、各移動端末では通信サービスＡによる伝搬環境情報と通信サービスＢによる伝搬環境情報を通知することになり、スケジューラ１５では、計６個の伝搬環境情報を集約することになる（伝搬環境情報は例えば、各移動端末で測定されたＣＱＩ（伝搬環境指標）である）。
【００４１】
そして、スケジューラ１５は、複数の異なる通信サービスを１つにまとめて、送信相手を決める処理であるスケジューリングを行い、複数の異なる通信サービスにわたって、伝搬環境の良好な移動端末と、その移動端末へ提供する通信サービスとを選択する。
【００４２】
制御情報送信部１０ｂは、スケジューラ１５で選択された移動端末へ、選択された通信サービスに必要な制御情報（例えば、どの通信サービスを割り当てたか、伝送速度、変調方式の種類など）を送信する。
【００４３】
移動端末２０−１〜２０−ｎは、各移動端末自身が、異なる複数の通信サービスを享受可能であり（通信時には１つまたは複数の通信サービスを選択して通信を行う）、伝搬環境情報通知部２０ａ、送受信機能設定部２６、ＱｏＳ情報送信部２０ｂから構成される。
【００４４】
伝搬環境情報通知部２０ａは、搬送波周波数が異なるＮ波のパイロット信号を受信して、現在の伝搬環境を搬送波周波数（通信サービス）毎に個別に測定し、測定結果として、Ｎ個の伝搬環境情報を基地局１０へ通知する。
【００４５】
送受信機能設定部２６は、基地局１０から自端末及び通信サービスが選択された場合には、制御情報にもとづいて、選択された通信サービスに対応する送受信機能へ自律的（自動的）に切り替えて設定する。ＱｏＳ情報送信部２０ｂは、ＱｏＳ情報を基地局１０へ送信する（ＱｏＳに関連した動作については図１２で後述）。
【００４６】
なお、基地局１０のセル内には異なる通信サービスを享受可能なものと、単一の通信サービスしかできないものとが混在していることになる（本発明は、このような混在している場合にも対応可能である）。
【００４７】
次に無線通信システム１の全体動作をフローチャートで説明する。図２は無線通信システム１の動作を示すフローチャートである。なお、以降では移動端末をＵＥと呼ぶ。また、ＵＥ２０−１〜２０−ｎは総称する場合はＵＥ２０とする。
【００４８】
〔Ｓ１〕基地局１０は各通信サービスでパイロット信号を送信する。
〔Ｓ２〕ＵＥ２０は、すべてのパイロット信号を受信する。
〔Ｓ３〕ＵＥ２０は、パイロット信号毎に伝搬環境を測定して、伝搬環境情報を生成し、基地局１０へ返信する。
【００４９】
〔Ｓ４〕基地局１０は、伝搬環境情報にもとづいて、異なる複数の通信サービスのスケジューリングを１つにまとめて行う。
〔Ｓ５〕基地局１０は、通信すべきＵＥを選択し、使用する通信サービスを制御情報としてＵＥ２０へ送信する。
【００５０】
〔Ｓ６〕ＵＥ２０は、制御情報にもとづき、送受信機能を自律的に設定する。
〔Ｓ７〕基地局１０は、スケジューリングによって決定した通信サービスでデータを送信する。
【００５１】
〔Ｓ８〕ＵＥ２０は、変更後の通信サービスでデータを受信し、その後、基地局１０を介した無線通信を行う。
次に無線通信システム１の動作についてさらに詳しく説明する。なお、以降では、基地局１０は複数の異なる通信サービスとして、ＨＳＤＰＡの通信サービスと、ＯＦＤＭ（Orthogonal Frequency Division Multiplexing）の通信サービスとの２種類のサービスを行う場合を例にして説明する。
【００５２】
なお、ＯＦＤＭは、伝送帯域内に多数の直交する副搬送波（サブキャリア）を設け、それぞれのサブキャリアの振幅及び位相にデータを割り当て、ディジタル変調する伝送方式である。
【００５３】
ＯＦＤＭは、マルチパスによるシンボル間干渉の影響を抑制することができるので、マルチパス妨害の影響を受けやすい地上波ディジタル放送に主に適用されているが、近年では第４世代移動通信システムの無線アクセス方式として、携帯電話機等の移動端末に対してもＯＦＤＭの適用が検討されているものである。
【００５４】
図３は無線通信システム１の動作例を示す図である。基地局１０のセル１００ｄ内にＵＥ２０−１〜２０−１０が存在する。基地局１０は、ＨＳＤＰＡとＯＦＤＭの２つの通信サービスを運用する。
【００５５】
また、ＵＥ２０−１〜２０−１０は、ＨＳＤＰＡとＯＦＤＭの両方の通信機能を有しており、いずれかの通信機能に切り替えて無線通信を行うことができる移動端末である。
なお、スケジューリング前の状態として、ＵＥ２０−１〜２０−５は、ＨＳＤＰＡ通信を行っており、ＵＥ２０−６〜２０−１０は、ＯＦＤＭ通信を行っているとする。
【００５６】
基地局１０は、ＨＳＤＰＡに対応する搬送波周波数ｆ１を持つパイロット信号ｆ１ｐと、ＯＦＤＭに対応する搬送波周波数ｆ２を持つパイロット信号ｆ２ｐを送出する。
ＵＥ２０−１〜２０−１０は、パイロット信号ｆ１ｐを受信すると、伝搬環境情報として、ＵＥ毎に搬送波周波数ｆ１の伝搬環境におけるＣＱＩを求めて、基地局１０に返信する。またパイロット信号ｆ２ｐを受信すると、ＵＥ毎に搬送波周波数ｆ２の伝搬環境におけるＣＱＩを求めて、基地局１０に返信する（例えば、ＵＥ２０−１は、搬送波周波数ｆ１で求めたＣＱＩを基地局１０へ通知し、かつ搬送波周波数ｆ２で求めたＣＱＩを基地局１０へ通知する。その他のＵＥも同様の動作を行う）。
【００５７】
なお、パイロット信号ｆ１ｐ、ｆ２ｐの周波数帯域幅は同じでも良いし、異なっていてもよい。また、ＵＥ２０−１〜２０−１０から基地局１０への上りの通知には、それぞれ搬送波周波数ｆ１ｕ、ｆ２ｕを用いているとする（搬送波周波数ｆ１ｕ、ｆ２ｕの値は異なる。また以降では上り信号とも呼ぶ）。また、各ＵＥは、パイロット信号ｆ１ｐ、ｆ２ｐを同時に受信しても、時間分割して受信してもよい。
【００５８】
基地局１０内のスケジューラ１５は、上り信号ｆ１ｕ、ｆ２ｕを受信し、ＵＥ２０−１〜２０−１０から通知された、搬送波周波数ｆ１に該当する１０個のＣＱＩ及び搬送波周波数ｆ２に該当する１０個のＣＱＩを集約し、複数の異なる通信サービスを１つにまとめたスケジューリングを行う（なお、複数の異なる通信サービスまたは搬送波周波数を１つにまとめて行う本発明のケジューリングを以降では統合スケジューリングとも呼ぶ）。
【００５９】
図４はスケジューリングモデルを示す図である。ＨＳＤＰＡのパイロット信号ｆ１ｐ（搬送波周波数ｆ１）に対するＵＥ２０−１〜２０−１０それぞれのＣＱＩは、１２、０８、１９、１０、１３、０４、１７、１５、１７、１２であったとする。
【００６０】
また、ＯＦＤＭのパイロット信号ｆ２ｐ（搬送波周波数ｆ２）に対するＵＥ２０−１〜２０−１０それぞれのＣＱＩは、１２、０８、１８、１０、１３、０５、１６、１４、１９、１１であったとする。
【００６１】
さらに、ＵＥ２０−１〜２０−１０それぞれの伝送速度（基地局→ＵＥの下り伝送速度）は、１．０、３．０、１０．０、２．０、０．５、２．０、３．０、２．０、１０．０、１０．０（単位はMbps）であったとする（ここでの伝送速度は、スケジューリングによって送信対象のＵＥが選択されると、自ずと伝送データ量や変調方式等によって決まるものとする。ただし、後述のＱｏＳ情報を考慮したスケジューリングを行う場合には可変的な設定が行われる）。
【００６２】
ここで、スケジューリング条件を、Max C/I法によって、１つの搬送波周波数に対してＣＱＩの高いＵＥを２台選択し（要するに、ＨＳＤＰＡ側からＣＱＩの高いＵＥを２台、ＯＦＤＭ側からＣＱＩの高いＵＥを２台選択する）、ＣＱＩの高い端末から先にデータの送信を行うものとする。
【００６３】
ただし、ＨＳＤＰＡの最大伝送速度は１４．４Mbpsであり、ＯＦＤＭの最大伝送速度は３０．０Mbpsとして、選択したＵＥの合計伝送速度が、それぞれの最大伝送速度の値を超えないように選ぶ。
【００６４】
このような状態において、異なる通信サービス毎に別個にスケジューリングを行う従来の場合について先に説明する（図中、点線枠は従来スケジューリング、実線枠は統合スケジューリング）。従来ではＨＳＤＰＡのスケジューリングとＯＦＤＭのスケジューリングが別々に行われることになる。
【００６５】
ＨＳＤＰＡのスケジューリングでは、ＨＳＤＰＡ通信を現在行っているＵＥ２０−１〜２０−５に対し、ＵＥ２０−３のＣＱＩが１９で最も高く、次にＣＱＩが１３であるＵＥ２０−５が高い。また、ＵＥ２０−３、２０−５の合計伝送速度は１０．５Mbps（≦１４．４Mbps）であるので、条件を満たすことになる。
【００６６】
また、ＯＦＤＭのスケジューリングでは、ＯＦＤＭ通信を現在行っているＵＥ２０−６〜２０−１０に対し、ＵＥ２０−９のＣＱＩが１９で最も高く、次にＣＱＩが１６であるＵＥ２０−７が高い。また、ＵＥ２０−９、２０−７の合計伝送速度は１３．０Mbps（≦３０．０Mbps）であるので、条件を満たすことになる。
【００６７】
したがって、セル１００ｄ内に存在するＵＥ２０−１〜２０−１０に対して、従来のスケジューリングでは、ＵＥ２０−３、２０−５に対して、ＨＳＤＰＡの通信サービスを優先的に実行し、ＵＥ２０−９、２０−７に対してＯＦＤＭの通信サービスを優先的に実行することになる。なお、このときのＨＳＤＰＡとＯＦＤＭの合計伝送速度＝２３．５Mbpsとなる。
【００６８】
次に複数の異なる通信サービスを１つにまとめた統合スケジューリングについて説明する。図３のスケジューラ１５では、ＨＳＤＰＡのスケジューリングとＯＦＤＭのスケジューリングを１つにまとめて行う。なお、スケジューリング条件として、ＯＦＤＭ側（搬送波周波数ｆ２側）を先にスケジューリングする項目を追加する（最大伝送速度の高い方を先にスケジューリングする）。
【００６９】
すると、まず、ＵＥ２０−１〜２０−１０に対して、ＯＦＤＭのＣＱＩの高いＵＥは、ＵＥ２０−９のＣＱＩが１９で最も高く、次にＣＱＩが１８であるＵＥ２０−３が高い。また、ＵＥ２０−９とＵＥ２０−３の合計伝送速度は２０．０Mbps（≦３０．０Mbps）であるので、条件を満たすことになる。
【００７０】
一方、ＵＥ２０−９、２０−３を除く残りのＵＥに対して、ＨＳＤＰＡ側（搬送波周波数ｆ１側）のスケジューリングを行うと、ＨＳＤＰＡのＣＱＩの高いＵＥは、ＵＥ２０−７のＣＱＩが１７で最も高く、次にＣＱＩが１５であるＵＥ２０−８が高い。また、ＵＥ２０−７とＵＥ２０−８の合計伝送速度は５．０Mbps（≦１４．４Mbps）であるので、条件を満たすことになる。
【００７１】
したがって、セル１００ｄ内に存在するＵＥ２０−１〜２０−１０に対して、基地局１０のスケジューラ１５は、ＵＥ２０−９、２０−３に対して、ＯＦＤＭの通信サービスを優先的に実行し、ＵＥ２０−７、２０−８に対してＨＳＤＰＡの通信サービスを優先的に実行する。なお、このときのＨＳＤＰＡとＯＦＤＭの合計伝送速度＝２５．０Mbpsとなる。
【００７２】
ここで、従来のスケジューリングと統合スケジューリングを比較すると、以下の２つの差分がある。
（１）従来スケジューリングでは選択されなかったＵＥ２０−８が選択され、従来スケジューリングで選択されていたＵＥ２０−５が選択されていない。
【００７３】
（２）ＵＥ２０−３は、搬送波周波数ｆ１から搬送波周波数ｆ２へ変更している（ＨＳＤＰＡからＯＦＤＭへ通信サービスが変更している）。
（１）について見ると、従来スケジューリングで選択されていたＵＥ２０−５（ＨＳＤＰＡ）のＣＱＩ＝１３であり、ＵＥ２０−８（ＯＦＤＭ）のＣＱＩ＝１４なので、ＵＥ２０−８のＣＱＩの方がＵＥ２０−５のＣＱＩよりも高い。
【００７４】
通信サービス毎にＣＱＩに差があっても、Max C／I法のように、とにかくＣＱＩが高い値のものを、通信サービスの種類とは関係なく優先するのであれば、複数の異なる通信サービスのＣＱＩを１つにまとめてスケジューリングする本発明の方がMax C／I法の概念に適していることになる。
【００７５】
また、一般には、ＣＱＩが高い方が、割り当てられる伝送速度も高く、ＣＱＩが小さい方が、割り当てられる伝送速度も小さくなる（ＣＱＩが高いということは受信レベルが良好ということなので、そのような環境では伝送速度を上げて、できるだけ多くの情報量を伝送し、逆にＣＱＩが小さいということは受信レベルが悪いということなので、そのような環境では伝送速度を下げて、少ない情報量を確実に伝送するといった考えから）。
【００７６】
したがって、従来スケジューリングでは合計伝送速度が２３．５Mbpsであったものが、本発明のスケジューリングによって、ＵＥ２０−５よりもＣＱＩの高いＵＥ２０−８が選択されることで、合計伝送速度＝２５．０Mbpsとなり、高速化していることがわかる。
【００７７】
（２）について見ると、スケジューリング前はＨＳＤＰＡ通信を行っていたＵＥ２０−３は、統合スケジューリング後にはＯＦＤＭ通信となり、システム間のハンドオーバ（異周波間ハンドオーバ）が生じている。
【００７８】
従来の異周波間ハンドオーバでは、基地局より上位に位置する制御局にてハンドオーバの必要性を判断していたが、本発明では、基地局１０のスケジューラ１５でハンドオーバの必要性を判断する（制御局側でハンドオーバの要求を出すのではなく、基地局１０でハンドオーバの要求を行っている）。これにより、異周波間であっても即座にハンドオーバを実行することが可能になり、ハンドオーバ制御に必要な時間を大幅に短縮することが可能になる。
【００７９】
このように、無線通信システム１では、１つのスケジューラ１５で、複数の異なる通信サービスを１つにまとめてスケジューリングを行うことにより、１つの周波数では割り当てられなかったＵＥでも割り当てられる可能性が高まり、システム全体の伝送速度を高速化することが可能になる。
【００８０】
また、システム間のスループット（伝送速度）のばらつきを抑えて平滑化が可能となり、さらに、従来では処理負荷が重く高速化のボトルネックとなっていた異周波間ハンドオーバを短時間に実現することが可能になる。
【００８１】
次に基地局１０の構成について説明する。図５は基地局１０の構成を示す図である。２つの異なる通信サービスＡ、Ｂを運用可能な場合の基地局構成を示している。基地局１０は、局側送信部１０ｓ、局側受信部１０ｒ、スケジューラ１５、バッファ１６、アンテナａ１から構成される。
【００８２】
局側送信部１０ｓは、通信サービスＡ、Ｂの２系統の送信機能を有しており、送信データ生成部１１ｓ−ａ、１１ｓ−ｂ、変調部１２ｓ−ａ、１２ｓ−ｂ、多元接続送信処理部１３ｓ−ａ、１３ｓ−ｂ、無線Ｉ／Ｆ（インタフェース）部１４ｓ−ａ、１４ｓ−ｂから構成される（符号“ａ”が通信サービスＡの送信側機能、符号“ｂ”が通信サービスＢの送信側機能）。
【００８３】
局側受信部１０ｒは、通信サービスＡ、Ｂの２系統の受信機能を有しており、無線Ｉ／Ｆ部１４ｒ−ａ、１４ｒ−ｂ、多元接続受信処理部１３ｒ−ａ、１３ｒ−ｂ、復調部１２ｒ−ａ、１２ｒ−ｂ、受信データ復号部１１ｒ−ａ、１１ｒ−ｂから構成される（符号“ａ”が通信サービスＡの受信側機能、符号“ｂ”が通信サービスＢの受信側機能）。なお、図１で上述したパイロット信号送出部１０ａと制御情報送信部１０ｂの機能は、局側送信部１０ｓ内に含まれる。
【００８４】
各構成要素の動作について説明する。送信動作に対し、送信データ生成部１１ｓ−ａ、１１ｓ−ｂは、パイロット信号、制御信号、下り伝送データの少なくとも１つを用いて送信データを生成する（制御信号、下り伝送データ及び両者共にない場合も想定される）。変調部１２ｓ−ａ、１２ｓ−ｂは、送信データにＱＡＭ等のディジタル変調を施す。
【００８５】
多元接続送信処理部１３ｓ−ａ、１３ｓ−ｂは、通信サービスの多元接続方式（複数のユーザが同一の無線伝送路を共有して同時に通信を行う方式）に対応した送信処理を行う。例えば、通信サービスＡがＷ−ＣＤＭＡ（ＨＳＤＰＡ）ならば、多元接続送信処理部１３ｓ−ａでは拡散処理を行うことになる。無線Ｉ／Ｆ部１４ｓ−ａ、１４ｓ−ｂは、多元接続送信処理部１３ｓ−ａ、１３ｓ−ｂから出力された信号を周波数変換してアップコンバートし、アンテナａ１を介して送出する。
【００８６】
受信動作に対し、無線Ｉ／Ｆ部１４ｒ−ａ、１４ｒ−ｂは、アンテナａ１を介して受信した、ＵＥから送信されたデータを周波数変換してベースバンド信号にダウンコンバートする。多元接続受信処理部１３ｒ−ａ、１３ｒ−ｂは、通信サービスの多元接続方式に対応した受信処理を行う。例えば、通信サービスＡがＷ−ＣＤＭＡならば、多元接続受信処理部１３ｒ−ａでは逆拡散処理を行うことになる。
【００８７】
復調部１２ｒ−ａ、１２ｒ−ｂは、多元接続受信処理部１３ｒ−ａ、１３ｒ−ｂから出力された信号を復調する。受信データ復号部１１ｒ−ａ、１１ｒ−ｂは、復調された信号の誤り訂正を行って復号化し、伝搬環境情報、制御情報、上り伝送データの少なくとも１つを出力する。
【００８８】
一方、スケジューラ１５は、伝搬環境情報を受信して、通信サービスＡ、Ｂにまたがって、ＵＥの通信優先順位を決めるためのスケジューリングを行い、スケジューリング結果はシステム選択情報と設定信号として出力する。
【００８９】
システム選択情報は、選択したＵＥ側へ送信すべき情報であり、選択した通信サービス、伝送データ量、変調方式などの情報が、制御情報として設定される。設定信号は、スケジューリング結果を自局の送受信機能に設定するための信号であり、局側送信部１０ｓ、局側受信部１０ｒへ送信して設定する。また、バッファ１６は、設定信号にもとづいて、下り伝送データの伝送データ量を認識し、設定されたデータサイズだけ、送信データ生成部１１ｓ−ａ、１１ｓ−ｂへ出力する。
【００９０】
次にＵＥ２０の構成について説明する。図６はＵＥ２０の構成を示す図である。２つの異なる通信サービスＡ、Ｂを享受可能な場合の端末構成を示している。ＵＥ２０は、端末側受信部２０ｒ、端末側送信部２０ｓ、送受信機能設定部２６、アンテナａ２から構成される。
【００９１】
端末側受信部２０ｒは、通信サービスＡ、Ｂの２系統の受信機能を有しており、無線Ｉ／Ｆ部２１ｒ−ａ、２１ｒ−ｂ、多元接続受信処理部２２ｒ−ａ、２２ｒ−ｂ、復調部２３ｒ−ａ、２３ｒ−ｂ、受信データ復号部２４ｒ−ａ、２４ｒ−ｂ、伝搬環境測定部２５ｒ−ａ、２５ｒ−ｂから構成される（符号“ａ”が通信サービスＡの送信側機能、符号“ｂ”が通信サービスＢの送信側機能）。
【００９２】
端末側送信部２０ｓは、通信サービスＡ、Ｂの２系統の送信機能を有しており、送信データ生成部２４ｓ−ａ、２４ｓ−ｂ、変調部２３ｓ−ａ、２３ｓ−ｂ、多元接続送信処理部２２ｓ−ａ、２２ｓ−ｂ、無線Ｉ／Ｆ部２１ｓ−ａ、２１ｓ−ｂから構成される（符号“ａ”が通信サービスＡの送信側機能、符号“ｂ”が通信サービスＢの送信側機能）。
【００９３】
なお、図１で上述した伝搬環境情報通知部２０ａの機能は、伝搬環境測定部２５ｒ−ａ、２５ｒ−ｂ及び端末側送信部２０ｓ内に含まれ、ＱｏＳ情報送信部２０ｂの機能は、端末側送信部２０ｓ内に含まれる。
【００９４】
各構成要素の動作について説明する。受信動作に対し、無線Ｉ／Ｆ部２１ｒ−ａ、２１ｒ−ｂは、アンテナａ２を介して受信した、基地局１０から送信されたデータを周波数変換してベースバンド信号にダウンコンバートする。多元接続受信処理部２２ｒ−ａ、２２ｒ−ｂは、通信サービスの多元接続方式に対応した受信処理を行う。例えば、通信サービスＡがＷ−ＣＤＭＡ（ＨＳＤＰＡ）ならば、多元接続受信処理部２２ｒ−ａでは逆拡散処理を行うことになる。
【００９５】
復調部２３ｒ−ａ、２３ｒ−ｂは、多元接続受信処理部２２ｒ−ａ、２２ｒ−ｂから出力された信号を復調する。受信データ復号部２４ｒ−ａ、２４ｒ−ｂは、復調された信号の誤り訂正を行って復号化し、制御情報、下り伝送データの少なくとも１つを出力する。伝搬環境測定部２５ｒ−ａ、２５ｒ−ｂは、復調部２３ｒ−ａ、２３ｒ−ｂから出力された信号に対して、伝搬環境を測定し、伝搬環境情報を生成する。
【００９６】
送信動作に対し、送信データ生成部２４ｓ−ａ、２４ｓ−ｂは、伝搬環境情報、制御信号（ＱｏＳ情報を含む）、上り伝送データの少なくとも１つを用いて送信データを生成する。変調部２３ｓ−ａ、２３ｓ−ｂは、送信データにＱＡＭ等のディジタル変調を施す。
【００９７】
多元接続送信処理部２２ｓ−ａ、２２ｓ−ｂは、通信サービスの多元接続方式に対応した送信処理を行う。例えば、通信サービスＡがＷ−ＣＤＭＡならば、多元接続送信処理部２２ｓ−ａでは拡散処理を行うことになる。無線Ｉ／Ｆ部２１ｓ−ａ、２１ｓ−ｂは、多元接続送信処理部２２ｓ−ａ、２２ｓ−ｂから出力された信号を周波数変換してアップコンバートし、アンテナａ２を介して送出する。
【００９８】
また、送受信機能設定部２６は、基地局１０から送信された制御情報にもとづき、選択された通信サービス、伝送データ量、変調方式などの情報を設定信号として、端末側受信部２０ｒと端末側送信部２０ｓへ送信して設定する。
【００９９】
次に通信サービスＡをＷ−ＣＤＭＡ（ＨＳＤＰＡ）、通信サービスＢをＯＦＤＭとした場合の基地局１０及びＵＥ２０の構成について説明する。図７は基地局の構成を示す図である。基地局１０−１は、ＨＳＤＰＡとＯＦＤＭの通信サービスが運用可能な局側送信部１０ｓ−１、局側受信部１０ｒ−１を含む。
【０１００】
図５で示した構成要素と異なる箇所についてのみ説明する。送信データ生成部１１ｓ−ａ、１１ｓ―ｂは、ＭＵＸ部（多重部）１１０ｓ−ａ、１１０ｓ−ｂとなっており、受信データ復号部１１ｒ−ａ、１１ｒ−ｂは、復号／ＤＥＭＵＸ部（分離部）１１０ｒ−ａ、１１０ｒ−ｂとなっている。
【０１０１】
また、ＨＳＤＰＡの通信サービスを行う際の多元接続送信処理部１３ｓ−ａと多元接続受信処理部１３ｒ−ａはそれぞれ、拡散処理部１３０ｓ−ａと逆拡散処理部１３０ｒ−ａとなっている。拡散処理部１３０ｓ−ａは、ディジタル変調された信号に拡散符号を乗算して元の信号より広い帯域に拡散した拡散信号を生成する。逆拡散処理部１３０ｒ−ａは、同じ拡散符号によって元のディジタル信号を復元する。
【０１０２】
一方、ＯＦＤＭの通信サービスを行う際の多元接続送信処理部１３ｓ−ｂは、Ｓ／Ｐ（シリアル／パラレル変換部）１３１ｓ−ｂ、ＩＦＦＴ（Inverse Fast Fourier Transform）１３２ｓ−ｂ、Ｐ／Ｓ（パラレル／シリアル変換部）１３３ｓ−ｂ、ＧＩ（Guard Interval）挿入部１３４ｓ−ｂから構成される。
【０１０３】
Ｓ／Ｐ１３１ｓ−ｂは、入力シンボルをパラレルに変換して低速シンボル列にする（並列度はサブキャリア数と同じ）。ＩＦＦＴ１３２ｓ−ｂは、それぞれの低速シンボル列をＯＦＤＭ搬送波に重畳して逆高速フーリエ変換を施す（ＯＦＤＭの場合の変調処理に該当）。Ｐ／Ｓ１３３ｓ−ｂは、ＩＦＦＴ１３２ｓ−ｂからの出力信号をシリアル信号に変換する。ＧＩ挿入部１３４ｓ−ｂは、受信側での符号間干渉を抑制するために、シンボル区間毎にＧＩ（シンボルの無効区間となる冗長信号）を挿入する。
【０１０４】
また、ＯＦＤＭの通信サービスを行う際の多元接続受信処理部１３ｒ−ｂは、ＧＩ除去部１３４ｒ−ｂ、Ｓ／Ｐ１３３ｒ−ｂ、ＦＦＴ（Fast Fourier Transform）１３２ｒ−ｂ、Ｐ／Ｓ１３１ｒ−ｂから構成される。
【０１０５】
ＧＩ除去部１３４ｒ−ｂは、受信信号からＧＩを除去し、Ｓ／Ｐ１３３ｒ−ｂは入力シンボルをパラレルに変換して低速シンボル列にする。ＦＦＴ１３２ｒ−ｂは、低速シンボル列に高速フーリエ変換を施す（ＯＦＤＭの場合の復調処理に該当）。Ｐ／Ｓ１３１ｒ−ｂは、ＦＦＴ１３２ｒ−ｂからの出力信号をシリアル信号に変換する。
【０１０６】
図８はＵＥの構成を示す図である。ＵＥ２０−１は、ＨＳＤＰＡとＯＦＤＭのいずれか一方の通信サービスに切り替えて通信を行う端末側送信部２０ｓ−１と端末側受信部２０ｒ−１を含む。
【０１０７】
図６で示した構成要素と異なる箇所について説明する。ＨＳＤＰＡの通信を行う多元接続受信処理部２２ｒ−ａと多元接続送信処理部２２ｓ−ａはそれぞれ、逆拡散処理部２２０ｒ−ａと拡散処理部２２０ｓ−ａになっている。受信データ復号部２４ｒ−ａ、２４ｒ−ｂは、復号／ＤＥＭＵＸ部２４０ｒ−ａ、２４０ｒ−ｂとなっている。
【０１０８】
伝搬環境測定部２５ｒ−ａ、２５ｒ−ｂはそれぞれ、ＣＱＩ算出部２５０ｒ−ａ、２５０ｒ−ｂになっており、ＣＱＩ算出部２５０ｒ−ａ、２５０ｒ−ｂは、復調部２３ｒ−ａ、２３ｒ−ｂからの出力信号のＣＱＩを測定してＣＱＩに換算する。
【０１０９】
ＯＦＤＭの通信を行う際の多元接続受信処理部２２ｒ−ｂは、ＧＩ除去部２２１ｒ−ｂ、Ｓ／Ｐ２２２ｒ−ｂ、ＦＦＴ２２３ｒ−ｂ、Ｐ／Ｓ２２４ｒ−ｂから構成される。また、ＯＦＤＭの通信を行う際の多元接続送信処理部２２ｓ−ｂは、Ｓ／Ｐ２２４ｓ−ｂ、ＩＦＦＴ２２３ｓ−ｂ、Ｐ／Ｓ２２２ｓ−ｂ、ＧＩ挿入部２２１ｓ−ｂから構成される。
【０１１０】
次にスケジューラ１５の統合スケジューリングによるＨＳＤＰＡのＵＥ割り当ての詳細について説明する。図９は無線チャネル上でのＵＥ割り当てを示す図である。ＨＳＤＰＡでのＵＥ割り当ては、HS-PDSCH（High Speed Physical Downlink Shared CHannel）と呼ばれるユーザデータを運ぶ無線チャネルを時分割し、時分割した１つのタイムスロット（２ｍｓ）を、１つのＵＥまたは複数のＵＥがShareして使用する（したがって、ＨＳＤＰＡでは、各ＵＥへの下りデータ伝送時、ＤＰＣＨ（Dedicated Physical CHannel）のような個別の無線チャネルによるデータ伝送は行われない）。
【０１１１】
また、HS-PDSCHは、各セルに対して複数存在し、ＨＳＤＰＡの場合は、拡散コードの方向に１５本存在する（拡散コードによって１５本区別される）。したがって、下りデータ伝送を行う場合のＵＥ割り当ては、時間方向と拡散コード方向の両方で割り当てを行って、HS-PDSCHを共有して使うことになる。
【０１１２】
例えば、HS-PDSCHのタイムスロットｔ１にデータを乗せてＵＥへ伝送する場合、スケジューリングによって、優先度の高いＵＥ１を選択したとすると、このＵＥ１にＣＨ１のHS-PDSCHのタイムスロットｔ１を使ってデータ伝送を行ったり、またはＣＨ１〜ＣＨ１５の１５本すべてのHS-PDSCHのタイムスロットｔ１を使ってデータ伝送を行ったりする（どのタイムスロットをいくつ使うか、何本のHS-PDSCHを使うかといったこともスケジューリングによって決められる）。
【０１１３】
次にＵＥ２０−１〜２０−ｎでのパイロット信号の受信から、基地局１０でスケジューリングが行われた後にデータ伝送を行うまでの流れについて説明する。図１０はＵＥ２０−１〜２０−ｎでのパイロット信号の受信から、基地局１０でデータ伝送を行うまでの流れを示す図である。
【０１１４】
〔Ｓ１１〕基地局１０は、パイロット信号を送信する。
〔Ｓ１２〕ＵＥ２０−１〜２０−ｎは、パイロット信号を受信してＣＱＩを求め、基地局１０へ返信する。この場合、ＵＥ２０−１〜２０−ｎは、HS-DPCCH（High Speed Dedicated Physical Control CHannel）と呼ばれる無線チャネルにＣＱＩ情報を乗せて基地局１０へ返信する。
【０１１５】
〔Ｓ１３〕基地局１０は、返信されたＣＱＩにより、統合スケジューリングを行う。
〔Ｓ１４〕基地局１０は、スケジューリング結果である制御情報を、選択したＵＥ２０へ送信する。この場合、基地局１０は、HS-SCCH（High Speed Shared Control CHannel）と呼ばれる無線チャネルに制御情報を乗せて（２ｍｓのタイムスロットに乗せて）ＵＥ２０へ送信する。
【０１１６】
〔Ｓ１５〕ＵＥ２０は、受信した制御情報にもとづいて、送受信機能の設定を行う。
〔Ｓ１６〕基地局１０は、スケジューリングによって設定した通信サービスでＵＥ２０へデータを送信する。このデータは図９で上述したHS-PDSCHに乗せられてＵＥ２０へ送信される。
【０１１７】
ここで、ＵＥ２０は、制御情報を受信してから、送受信機能を設定する必要があるので、ＵＥ２０のデータ受け入れ状態の準備完了後にデータが受信されるように、基地局１０では制御情報の送信後に一定時間遅れてデータを送信するようにしている。すなわち、HS-SCCHを送信してからHS-PDSCHを送信するまでには一定時間の間隔（ＴＴＩ：Transmission Time Intervals）が設けられている。
【０１１８】
図１１はＴＴＩを示す図である。従来のＨＳＤＰＡのスケジューリングでは、変調の種類（ＱＰＳＫで伝送するのか、１６ＱＡＭで伝送するのかといったこと）や伝送量（ＴＢＳ：Transport Block size（１回の伝送で送るデータの大きさ））などが制御情報に含まれて、ＵＥはこれらの情報にもとづいて送受信機能を設定していた。したがって、ＴＴＩとしては、２ｍｓのタイムスロットを３等分した時間（０．６６μｓ）が設定されていた（ＵＥ側では主に変調方式の切り替えを行えばよいので、この程度の遅延時間で十分設定可能であった）。
【０１１９】
一方、本発明のスケジューリングでは、例えば、ＨＳＤＰＡ→ＯＦＤＭというように、通信サービスの切り替えを行ったりするので、ＵＥ２０側では大きくシステムを切り替えることになる。したがって、従来のＴＴＩでは送受信機能設定が間に合わないおそれがでてくる。
【０１２０】
このため、基地局１０では、選択した通信サービスで運用する際に、ＵＥ２０の送受信機能が事前に設定されておくように、制御情報にさらに変更タイミング（通信サービス、変調方式、伝送量等が基地局１０側で変更される時間）も含めて送信する（なお、この変更時間は、ＵＥ２０での送受信切り替えに必要な十分な時間である）。そして、ＵＥ２０は、制御情報を受信した際に、変更タイミングから基地局１０側でのサービス切り替え時間を前もって認識できるので、この時間に間に合うように、選択された通信サービスに対応する送受信機能へ設定変更しておくようにする。
【０１２１】
次にＱｏＳを考慮した統合スケジューリングについて説明する。スケジューラ１５における優先順位付けを行う際に、各ＵＥから送られる伝搬環境情報の他に、ＵＥ側の制御情報としてＱｏＳ情報が送信された場合には、ＱｏＳも考慮したスケジューリングを行う。
【０１２２】
ＱｏＳの属性としては、所要伝送速度があり、これは最低でも保証すべき伝送速度のことである。例えば、動画像の伝送を行う場合、最低限の伝送速度を守って動画データを送らないと、受信側では画像の動きが不自然になったりして品質を落とすことになる。このため、ＱｏＳ情報として所要伝送速度が含まれる場合は、ＣＱＩの高いＵＥを選択する際には、この所要伝送速度も満たすように考慮してスケジューリングを行う必要がある。
【０１２３】
以下、具体的な動作について説明する。図１２はスケジューリングモデルを示す図である。ＨＳＤＰＡのパイロット信号ｆ１ｐに対するＵＥ２０−１〜２０−１０それぞれのＣＱＩは、１２、０８、１９、１０、１３、０４、１７、１５、１９、１２であったとする。
【０１２４】
また、ＯＦＤＭのパイロット信号ｆ２ｐに対するＵＥ２０−１〜２０−１０それぞれのＣＱＩは、１２、０８、２０、１０、１３、０５、１６、１４、１９、１１であったとする。
【０１２５】
さらに、ＵＥ２０−１〜２０−１０それぞれの所要伝送速度（基地局→ＵＥの下り伝送速度）は、１．０、３．０、１０．０、２．０、０．５、２．０、８．０、６．０、１５．０、１０．０（単位はMbps）であったとする（所要伝送速度は、図４で示した伝送速度とは意味が異なり、最小限必要な伝送速度を意味する）。
【０１２６】
ここで、スケジューリング条件を、ＯＦＤＭ側を先にスケジューリングし、Max C/I法によって、１つの周波数に対してＣＱＩの高いＵＥを２台選択し（ＨＳＤＰＡ側からＣＱＩの高いＵＥを２台、ＯＦＤＭ側からＣＱＩの高いＵＥを２台選択する）、ＣＱＩの高い端末から先にデータの送信を行うものとする。ただし、ＨＳＤＰＡの最大伝送速度は１４．４Mbpsであり、ＯＦＤＭの最大伝送速度は３０．０Mbpsとして、選択したＵＥの合計伝送速度が、それぞれの最大伝送速度の値を超えないように選ぶ。
【０１２７】
ＵＥ２０−１〜２０−１０に対して、ＯＦＤＭのＣＱＩの高いＵＥは、ＵＥ２０−３のＣＱＩが２０で最も高く、次にＣＱＩが１９であるＵＥ２０−９が高い。また、ＵＥ２０−３とＵＥ２０−９の合計所要伝送速度は２５．０Mbps（≦３０．０Mbps）であるので、条件を満たすことになる。
【０１２８】
一方、ＵＥ２０−３、２０−９を除く残りのＵＥに対して、ＨＳＤＰＡのＣＱＩの高いＵＥは、ＵＥ２０−７のＣＱＩが１７で最も高く、次にＣＱＩが１５であるＵＥ２０−８が高い。また、ＵＥ２０−７とＵＥ２０−８の合計所要伝送速度は１４．０Mbps（≦１４．４Mbps）であるので、条件を満たすことになる。
【０１２９】
したがって、ＵＥ２０−１〜２０−１０に対して、ＵＥ２０−３、２０−９に対して、ＯＦＤＭの通信サービスを優先的に実行し、ＵＥ２０−７、２０−８に対してＨＳＤＰＡの通信サービスを優先的に実行する。このときのＨＳＤＰＡとＯＦＤＭの合計伝送速度＝３９．０Mbpsとなる。
【０１３０】
ここで、ＵＥ２０−９の所要伝送速度は１５．０Mbpsであり（所要伝送速度が１５．０Mbpsということは、最低でも１５．０Mbpsの伝送速度が必要ということ）、ＨＳＤＰＡの最大伝送速度１４．４Mbpsを超えているため、ＣＱＩ値にかかわらず、ＨＳＤＰＡの通信サービスで伝送を行うことができない。
【０１３１】
一方、ＯＦＤＭの最大伝送速度は、３０．０Mbpsであるため、ＯＦＤＭなら伝送することができる。すなわち、ＵＥ２０−９は、ＯＦＤＭの通信サービスの伝送しか行うことができない。このことは、図４で上述したスケジューリングの場合と異なり、ＱｏＳを考慮したスケジューリングであるために生じたものである。
【０１３２】
このように、ＱｏＳを考慮した統合スケジューリングでは、所要伝送速度を満たすように、かつＣＱＩの高いＵＥを選択する操作となる。このスケジューリングでは、最低伝送速度（所要伝送速度）を規定し、それを保証するので、言い換えれば、所要伝送速度以上の伝送速度で伝送を行っても構わない。
【０１３３】
また、ＱｏＳを考慮しない統合スケジューリングにおいては、図４で示した伝送速度は、その通信を行うに際しての最大伝送速度である。したがって、例えば、図４のＵＥ２０−９の伝送速度は１０．０Mbpsとなっているが、これよりも小さい値で下りデータが伝送されても構わないことになる。
【０１３４】
なお、ＱｏＳを考慮した統合スケジューリングにおいても、図４で行われていた異周波間ハンドオーバは同様に行われる。図１２の例では、ＵＥ２０−３が、ＨＳＤＰＡ（ｆ１）→ＯＦＤＭ（ｆ２）へ通信サービスが移行し、異周波間ハンドオーバが行われている。
【０１３５】
このように、ＱｏＳの属性として所要伝送速度を考慮したスケジューリングを行うことで、システム全体の伝送速度を高速化できるだけでなく、最低保証伝送速度を設定したサービスが可能になる。なお、上記ではＱｏＳの属性として所要伝送速度を例に挙げたが、その他の属性を考慮してスケジューリングを行うことも可能である。
【０１３６】
次にＣＱＩの値に対応して伝送速度が決まる場合と、ＱｏＳの所要伝送速度から伝送データ量（ＴＢＳ）や変調の種類を決める場合のスケジューラの動作について説明する。
ＱｏＳを考慮しない統合スケジューリングでは、ＵＥ２０から通知されたＣＱＩの値によって自ずと伝送速度が決まる。例えば、ＣＱＩによって決まる変更内容の例として、HS-PDSCHの本数、ＴＢＳ（bit）、変調タイプがあるとする。
【０１３７】
このとき、ＣＱＩが１ならば、HS-PDSCHを１本使い、ＴＢＳは１３７bitとし、変調にはＱＰＳＫを使い、またＣＱＩが２ならば、HS-PDSCHを１本使い、ＴＢＳは１７３bitとし、変調にはＱＰＳＫを使うというようにあらかじめ決めておく。
【０１３８】
このように、ＱｏＳを考慮しない場合では、ＣＱＩの値に応じて、変更内容は固定的に決めておく。これにより、ＣＱＩの値に応じて自ずと伝送速度が決まる（主にＴＢＳの値から伝送速度が導き出せる）。
【０１３９】
一方、ＱｏＳ（所要伝送速度）を考慮した統合スケジューリングを行う場合には、最低限保証すべき伝送速度があらかじめ決められているので、この伝送速度を守るように、ＣＱＩと関連しながら、ＴＢＳや変調タイプを可変的に設定することになる。
【０１４０】
次に第２の実施の形態として、１つの通信サービスに対して、複数の搬送波周波数のパイロット信号を送出して、１つのスケジューラで統合スケジューリングする場合について説明する。
【０１４１】
第１の実施の形態では、複数の異なる通信サービスがあれば、通信サービス毎に異なる搬送波周波数を持つパイロット信号を基地局１０から送出していたが（例えば、ＨＳＤＰＡに対応する搬送波周波数ｆ１を持つパイロット信号ｆ１ｐと、ＯＦＤＭに対応する搬送波周波数ｆ２を持つパイロット信号ｆ２ｐとを送出していた）、第２の実施の形態では、例えば、ＨＳＤＰＡの１つの通信サービスに対して、２つの搬送波周波数ｆ３、ｆ４を持つそれぞれのパイロット信号ｆ３ｐ、ｆ４ｐを基地局１０から送出するものである。
【０１４２】
なお、第１の実施の形態では、通信サービスに応じて、多元接続方式に即した送受信処理を行うが、第２の実施の形態では、すべて同じ多元接続送受信処理を行うことになる。例えば、ＨＳＤＰＡの通信サービスを行うならば、拡散・逆拡散の多元接続送受信処理を行う。なお、それ以外のシステム・装置構成は、第１の実施の形態と基本的に同様であるので、以降、動作について説明する。
【０１４３】
図１３はスケジューリングモデルを示す図である。ＨＳＤＰＡのパイロット信号ｆ３ｐ（搬送波周波数ｆ３）に対するＵＥ２０−１〜２０−１０それぞれのＣＱＩは、１２、０８、１９、１０、１３、０４、１７、１５、１７、１２である。
【０１４４】
また、ＨＳＤＰＡのパイロット信号ｆ４ｐ（搬送波周波数ｆ４）に対するＵＥ２０−１〜２０−１０それぞれのＣＱＩは、１２、０８、１９、１０、１３、０５、１６、１４、１９、１１である。
【０１４５】
さらに、ＵＥ２０−１〜２０−１０それぞれの伝送速度（基地局→ＵＥの下り伝送速度）は、１．０、３．０、１０．０、２．０、０．５、２．０、３．０、２．０、１０．０、１０．０（単位はMbps）とする。
【０１４６】
ここで、スケジューリング条件を、Max C/I法によって、１つの周波数に対してＣＱＩの高いＵＥを２台選択し（搬送波周波数ｆ３側からＣＱＩの高いＵＥを２台、搬送波周波数ｆ４側からＣＱＩの高いＵＥを２台選択する）、ＣＱＩの高い端末から先にデータの送信を行うものとする。ただし、ＨＳＤＰＡの最大伝送速度は１４．４Mbpsであるので、いずれの搬送波周波数の場合も、選択したＵＥの合計伝送速度が１４．４Mbpsの値を超えないように選ぶ。
【０１４７】
最初に、従来の搬送波周波数個別にスケジューリングが行われる場合について説明する。搬送波周波数ｆ３のＨＳＤＰＡスケジューリングでは、搬送波周波数ｆ３でＨＳＤＰＡ通信を現在行っているＵＥ２０−１〜２０−５に対し、ＵＥ２０−３のＣＱＩが１９で最も高く、次にＣＱＩが１３であるＵＥ２０−５が高い。また、ＵＥ２０−３、２０−５の合計伝送速度は１０．５Mbps（≦１４．４Mbps）であるので、条件を満たすことになる。
【０１４８】
また、搬送波周波数ｆ４のＨＳＤＰＡスケジューリングでは、搬送波周波数ｆ４でＨＳＤＰＡ通信を現在行っているＵＥ２０−６〜２０−１０に対し、ＵＥ２０−９のＣＱＩが１９で最も高く、次にＣＱＩが１６であるＵＥ２０−７が高い。また、ＵＥ２０−９、２０−７の合計伝送速度は１３．０Mbps（≦１４．４Mbps）であるので、条件を満たすことになる。
【０１４９】
したがって、ＵＥ２０−１〜２０−１０に対して、従来のスケジューリングでは、搬送波周波数ｆ３のＨＳＤＰＡの通信サービスでは、ＵＥ２０−３、２０−５を優先的に実行し、搬送波周波数ｆ４のＨＳＤＰＡの通信サービスでは、ＵＥ２０−９、２０−７を優先的に実行する。なお、このときの搬送波周波数ｆ３、ｆ４のＨＳＤＰＡの合計伝送速度＝２３．５Mbpsとなる。
【０１５０】
一方、搬送波周波数を１つにまとめた統合スケジューリングを行う場合については、まず、スケジューリング条件として、搬送波周波数ｆ４側を先にスケジューリングすることと（最大伝送速度はどちらも同じなので、搬送波周波数ｆ３側を先にスケジューリングしても構わない）、ＣＱＩ値が同じまたは大きな差がなければ、元の搬送波周波数側を優先して選択するという項目を加える。
【０１５１】
すると、まず、ＵＥ２０−１〜２０−１０に対して、搬送波周波数ｆ４側のＣＱＩの高いＵＥは、ＵＥ２０−３とＵＥ２０−９のＣＱＩが共に１９で最も高いが、合計伝送速度が２０．０Mbpsとなり１４．４Mbpsを超えてしまう。
【０１５２】
このような場合、ＣＱＩ値が同じであれば、元の搬送波周波数側を優先して選択するという条件により、現在、搬送波周波数ｆ４で運用しているＵＥ２０−９側を選択することになる。
【０１５３】
すなわち、ＵＥ２０−３は、搬送波周波数ｆ３でのＨＳＤＰＡ通信を行っているので、ＵＥ２０−３を選んでしまうと、搬送波周波数ｆ３→ｆ４へのハンドオーバ処理を起こす必要が生じるので、ハンドオーバの必要のないＵＥ２０−９を選択する。
【０１５４】
なお、この例ではＣＱＩ値が同じとしたが、例えば、ＵＥ２０−３のＣＱＩが１９で、ＵＥ２０−９のＣＱＩが１８のように、ＣＱＩが異なり大きな差がなければ、ＵＥ２０−９の方がＣＱＩ値が小さくても、この場合もＵＥ２０−９側を選択するようにしてもよい。
【０１５５】
一方、ＵＥ２０−９を選択した後に、さらに搬送波周波数ｆ４のスケジューリングを続けると、次にＣＱＩが１６のＵＥ２０−７を選択する。合計伝送速度は１３．０Mbpsとなり、１４．４Mbpsを満たしている。
【０１５６】
さらに、ＵＥ２０−９、２０−７を除く残りのＵＥに対して、搬送波周波数ｆ３側のスケジューリングを行うと、ＵＥ２０−３のＣＱＩが１９であり、次にＵＥ２０−８のＣＱＩが１５の順に高く、合計伝送速度は１２．０なので１４．４Mbpsを満たしている。
【０１５７】
したがって、ＵＥ２０−１〜２０−１０に対して、搬送波周波数ｆ３のＨＳＤＰＡの通信サービスでは、ＵＥ２０−９、２０−７を優先的に実行し、搬送波周波数ｆ４のＨＳＤＰＡの通信サービスでは、ＵＥ２０−３、２０−８を優先的に実行する。なお、このときの搬送波周波数ｆ３、ｆ４のＨＳＤＰＡの合計伝送速度＝２５．０Mbpsとなる（従来スケジューリングよりも高速化されている）。
【０１５８】
次に第３の実施の形態について説明する。第１、第２の実施の形態では、ＵＥ２０がパイロット信号を受信して、伝搬環境測定後にＣＱＩを通知する場合は、パイロット信号の搬送波周波数に対応したそれぞれの複数の周波数の上り信号で通知を行っていた。
【０１５９】
例えば、図３では、パイロット信号ｆ１ｐでＣＱＩを測定したら、上り信号ｆ１ｕで測定結果を基地局１０へ通知し、パイロット信号ｆ２ｐでＣＱＩを測定したら、上り信号ｆ２ｕで測定結果を基地局１０へ通知していた（上り信号ｆ１ｕ、ｆ２ｕの周波数は互いに異なる）。
【０１６０】
一方、第３の実施の形態では、Ｎ波のパイロット信号の各搬送波周波数に対し、特定の１つの周波数値を用いて、パイロット信号それぞれで測定したＣＱＩのすべてを通知するものである。例えば、パイロット信号ｆ１ｐで測定したＣＱＩと、パイロット信号ｆ２ｐで測定したＣＱＩを、ある特定の１つの周波数の上り信号を用いて基地局１０へ通知する。
【０１６１】
したがって、基地局１０では、上り信号として、ある特定の１つの周波数だけを監視していればよい。ただし、どの搬送波周波数のパイロット信号からＣＱＩを測定したものかが基地局１０で判別できるように、ＵＥ２０では、ＣＱＩや自端末の状態などをコード化して送信する。
【０１６２】
図１４〜図１６はコードテーブルを示す図である。図１４に対し、パイロット信号の搬送波周波数をテーブルＴ１のように設定する。１つの帯域幅を５．０MHzとし、８００〜８２０MHzとしている。例えば、８０２．５MHzのパイロット信号ならば、コードは００となる。
【０１６３】
図１５に対し、ＵＥ２０の現在の通信状態としての多元接続方式をテーブルＴ２のように設定する。例えば、ＵＥ２０が現在ＭＣ−ＣＤＭＡの多元接続で通信を行っていれば、コードは１０となる。図１６に対し、ＵＥ２０が測定したＣＱＩ（０〜３０）をテーブルＴ３のように設定する。例えば、ＣＱＩが２９ならば、コードは１１１１０となる。そして、このようなコードを、搬送波周波数＋多元接続方式＋ＣＱＩの順につなげる。
【０１６４】
ここで、ＨＳＤＰＡで運用しているＵＥ２０が、８０２．５MHzのパイロット信号からＣＱＩを算出し、算出結果が２９であったならば、テーブルＴ１〜Ｔ３により、８０２．５MHz（００）＋ＨＳＤＰＡ（００）＋ＣＱＩ（１１１１０）なので、００００１１１１０となる。
【０１６５】
また、ＯＦＤＭで運用しているＵＥ２０が、８０７．５MHzのパイロット信号からＣＱＩを算出し、算出結果が３０であったならば、テーブルＴ１〜Ｔ３により、８０７．５MHz（０１）＋ＯＦＤＭ（０１）＋ＣＱＩ（１１１１１）なので、０１０１１１１１１となる。
【０１６６】
基地局１０では、“００００１１１１０”＋“０１０１１１１１１”→“００００１１１１００１０１１１１１１”を受信することになる。なお、上記のコードに誤り訂正符号を付加してもよい。
【０１６７】
このように、第３の実施の形態では、ＣＱＩのような情報をコード化して、１つの周波数の上り信号で基地局１０へ通知する。これにより、基地局は特定の周波数の上り信号を認識することで、伝搬環境情報を取得することができる。また、伝搬環境情報を伝送するために使用する無線チャネルを削減することができるので、チャネル容量の有効利用が可能になる。
【０１６８】
次に第４の実施の形態について説明する。第４の実施の形態は、基地局と一以上の移動端末との間で無線通信を行う無線通信システムに関する。この無線通信システムは、異なる複数の通信サービスを運用可能な基地局と、異なる複数の通信サービスを享受可能な移動端末とを有する。
【０１６９】
基地局は、パイロット信号送出部、スケジューラおよび制御情報送信部を備える。パイロット信号送出部は、異なる複数の通信サービスに対して、同一の搬送波周波数を持つパイロット信号を送出する。スケジューラは、各移動端末から通知された異なる複数の通信サービスの伝搬環境情報の比較にもとづいて、送信相手とする移動端末及び該異なる複数の通信サービスの中から該移動端末へ提供する通信サービスを選択することで、該異なる複数の通信サービスのスケジューリング処理を１つにまとめて行う。制御情報送信部は、スケジューラで選択された移動端末へ、該移動端末に対して選択された通信サービスに関する制御情報を送信する。
【０１７０】
一方、移動端末は、伝搬環境情報通知部と送受信機能設定部を備える。伝搬環境情報通知部は、パイロット信号を受信して、自端末が現在運用中の通信サービスで伝搬環境を測定し、伝搬環境情報を基地局へ通知する。送受信機能設定部は、基地局から自端末及び通信サービスが選択された場合には、制御情報にもとづいて、選択された通信サービスに対応する送受信機能の設定を行う。
【０１７１】
ここで、第１の実施の形態では、ＨＳＤＰＡとＯＦＤＭが同時に１つの基地局でサービスされ、それぞれが異なる搬送波周波数を用いる場合の例を示した。第４の実施の形態では、複数の通信サービス（ＨＳＤＰＡとＯＦＤＭとする）を同一の搬送波周波数を用いてサービスを行うものである。なお、システム・装置の基本的な構成は図５、図６と同じなので、以降動作について説明する。
【０１７２】
図１７はスケジューリングモデルを示す図である。ＨＳＤＰＡで運用中のＵＥ２０−１〜２０−５のパイロット信号ｆ１ｐ（搬送波周波数ｆ１）に対するＣＱＩはそれぞれ、１２、０８、１９、１０、１３である。ＯＦＤＭで運用中のＵＥ２０−６〜２０−１０のパイロット信号ｆ１ｐ（搬送波周波数ｆ１）に対するＣＱＩはそれぞれ、０４、１６、１５、１７、１２である。また、ＵＥ２０−１〜２０−１０それぞれの伝送速度（基地局→ＵＥの下り伝送速度）は、１．０、３．０、１０．０、２．０、０．５、２．０、３．０、２．０、１０．０、１０．０（単位はMbps）である。
【０１７３】
ここで、従来の通信サービス個別にスケジューリングが行われる場合に、ＨＳＤＰＡ側からＣＱＩの高いＵＥを２台、ＯＦＤＭ側からＣＱＩの高いＵＥを２台選択し、ＣＱＩの高い端末から先にデータの送信を行うものとする。ただし、ＨＳＤＰＡとＯＦＤＭの最大伝送速度１４．４Mbps、３０．０Mbpsをそれぞれ超えないように選ぶ。
【０１７４】
最初に、従来の通信サービス個別にスケジューリングが行われる場合について説明する。ＨＳＤＰＡスケジューリングでは、ＨＳＤＰＡ通信を現在行っているＵＥ２０−１〜２０−５に対し、ＵＥ２０−３のＣＱＩが１９で最も高く、次にＣＱＩが１３であるＵＥ２０−５が高い。また、ＵＥ２０−３、２０−５の合計伝送速度は１０．５Mbps（≦１４．４Mbps）であるので、条件を満たすことになる。
【０１７５】
また、ＯＦＤＭ通信を現在行っているＵＥ２０−６〜２０−１０に対し、ＵＥ２０−９のＣＱＩが１７で最も高く、次にＣＱＩが１６であるＵＥ２０−７が高い。また、ＵＥ２０−９、２０−７の合計伝送速度は１３．０Mbps（≦３０．０Mbps）であるので、条件を満たすことになる。
【０１７６】
したがって、ＵＥ２０−１〜２０−１０に対して、従来のスケジューリングでは、ＨＳＤＰＡ側からＵＥ２０−３、２０−５を優先的に実行し、ＯＦＤＭ側からＵＥ２０−９、２０−７を優先的に実行する。なお、このときのＨＳＤＰＡとＯＦＤＭの合計伝送速度＝２３．５Mbpsとなる。
【０１７７】
一方、統合スケジューリングを行う場合については（スケジューリング条件としては、ＨＳＤＰＡ及びＯＦＤＭを合わせて、ＣＱＩの高い４台を選び、最初の２台をＯＦＤＭ通信し、残りの２台をＨＳＤＰＡ通信とする）、ＵＥ２０−１〜２０−１０に対して、ＵＥ２０−３のＣＱＩが１９で最も高く、２番目にＣＱＩが１７であるＵＥ２０−９が高い。ＵＥ２０−３、２０−９の合計伝送速度は、２０．０Mbps（≦３０．０Mbps）であり、条件を満たす。
【０１７８】
また、ＵＥ２０−７はＣＱＩが１６で３番目に高く、ＵＥ２０−８はＣＱＩが１５で４番目に高い。ＵＥ２０−７とＵＥ２０−８の合計伝送速度は５．０Mbps（≦１４．４Mbps）であるので、条件を満たす。これら４台の合計伝送速度＝２５．０Mbpsとなる。
【０１７９】
したがって、ＵＥ２０−１〜ＵＥ２０−１０に対して、ＨＳＤＰＡ側からＵＥ２０−３が選択され、ＯＦＤＭ側からＵＥ２０−７、２０−８、２０−９が選択されることになる（合計伝送速度＝２５．０Mbpsなので従来スケジューリングよりも高速化されている）。
【０１８０】
以上説明したように、無線通信システムによれば、システム全体の伝送速度を高速化できる。また、１つの周波数では割り当てられなかった端末でも、複数の異なる通信サービスを１つにまとめた統合スケジューリングを行うことで、割り当てられる可能性が高まる。さらに、システム間のスループットのばらつきを抑えて平滑化が可能になる。
【０１８１】
また、所要伝送速度などを含むＱｏＳを考慮して、統合スケジューリングを行うことにより、システム全体の伝送速度を高速化できるだけでなく、所要伝送速度などを確実に満たすことができ、また、最低保証伝送速度を設定したサービスを行うことが可能になる。さらに、基地局内のスケジューラ自身でハンドオーバの必要性を判断することが可能となり、従来の異周波間ハンドオーバを短時間で実行することが可能になる。
【０１８２】
なお、上記では複数の異なる通信サービスとして、ＨＳＤＰＡとＯＦＤＭの２つの通信サービスを例にして説明したが、本発明のスケジューリング機能は、３つ以上の通信サービスで、かつこれらの通信サービスに限るものではなく、その他の移動体通信の分野でも幅広く適用可能である。
【０１８３】
また、上記では伝搬環境情報にはＣＩＲからＣＱＩを算出するとしたが、ＳＩＲ（Signal-to-Interference Ratio(S/I)）からＣＱＩを算出してもよく、また他の指標を用いても構わない。
【０１８４】
さらに、上記ではスケジューリング時のＵＥの優先付けには、説明を簡単にするために、わかりやすいMax C/I法を使用して説明したが、Round Robin法（ＵＥの受信状態に関わらず、均等に送信を行うもので、一定時間内に、あるＵＥに送信するデータ数が同じであれば送信順番は定めない方法）や、Proportional Fairness法（与えられる送信時間はトータルでは、各ＵＥに対してすべて均等であるが、ＣＱＩが高いＵＥから先に送信する方法）などの方法を用いることも可能である。
【０１８５】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１８６】
１  無線通信システム
１０  基地局
１０ａ  パイロット信号送出部
１５  スケジューラ
１０ｂ  制御情報送信部
２０−１〜２０−ｎ  移動端末
２０ａ  伝搬環境情報通知部
２６  送受信機能設定部
２０ｂ  ＱｏＳ情報送信部
【図１】
0005505542.tif 000002
【図２】
0005505542.tif 000003
【図３】
0005505542.tif 000004
【図４】
0005505542.tif 000005
【図５】
0005505542.tif 000006
【図６】
0005505542.tif 000007
【図７】
0005505542.tif 000008
【図８】
0005505542.tif 000009
【図９】
0005505542.tif 000010
【図１０】
0005505542.tif 000011
【図１１】
0005505542.tif 000012
【図１２】
0005505542.tif 000013
【図１３】
0005505542.tif 000014
【図１４】
0005505542.tif 000015
【図１５】
0005505542.tif 000016
【図１６】
0005505542.tif 000017
【図１７】
0005505542.tif 000018
【図１８】
0005505542.tif 000019
【図１９】
0005505542.tif 000020
【図２０】
0005505542.tif 000021
【図２１】
0005505542.tif 000022
【図２２】
0005505542.tif 000023